(57)【特許請求の範囲】
【請求項１】
日よけ用具であって、
少なくとも第１の層及び第２の層で構成されたバイザーを有し、前記第１の層は、剛性を前記バイザーに付与し、前記第２の層は、前記第１の層に隣接して１つの方向に配置され、前記第２の層は、ステッチにより形成された不連続部を有し、
プラットホームを更に有し、前記プラットホームは、前記第２の層に隣接して前記方向に配置され、前記プラットホームは、前記第２の層を形成する材料とは異なる材料で形成され、前記プラットホームは、不連続部を含み、
磁石が前記ステッチにより形成された不連続部内及び前記プラットホームの不連続部内に配置されており、
前記日よけ用具は、アイテムが前記プラットホーム上に配置された場合、前記日よけ用具が前記アイテムを磁気的に引き付けると共に保持することができるよう構成されている、
ことを特徴とする日よけ用具。
【請求項２】
前記アイテムは、スポーツをしている際に用いられる磁気的に引き付けられるアイテムである、請求項１記載の日よけ用具。
【請求項３】
第３の層を更に有し、前記第３の層は、前記第１の層に隣接して反対の方向に配置されている、請求項１記載の日よけ用具。
【請求項４】
前記磁石のうちの少なくとも１つは、前記プラットホームよりも小さい、請求項１記載の日よけ用具。
【請求項５】
前記プラットホームは、スポーツをする際に用いられる前記アイテムとはサイズが異なる、請求項２記載の日よけ用具。
【請求項６】
前記プラットホームは、１つ又は２つ以上のロゴを有する、請求項１記載の日よけ用具。
【請求項７】
前記ロゴのうちの少なくとも１つは、音波溶接されたロゴである、請求項６記載の日よけ用具。
【請求項８】
前記プラットホームは、シリコーンで作られている、請求項１記載の日よけ用具。
【請求項９】
前記バイザーは、帽子に採用されている、請求項１記載の日よけ用具。
【請求項１０】
帽子であって、
少なくとも第１の層及び第２の層を含むバイザーを備えた日よけ用具を有し、前記第１の層は、剛性を前記バイザーに付与し、前記第２の層は、前記第１の層に隣接して１つの方向に配置され、前記第２の層は、ステッチにより形成された不連続部を有し、
プラットホームを更に有し、前記プラットホームは、前記第２の層に隣接して前記方向に配置され、前記プラットホームは、前記第２の層を形成する材料とは異なる材料で形成され、前記プラットフォームは、不連続部を含み、
磁石が前記ステッチにより形成された不連続部内及び前記プラットホームの不連続部内に配置されており、
前記日よけ用具は、ゴルフアイテムが前記プラットホーム上に配置された場合、前記日よけ用具が前記ゴルフアイテムを磁気的に引き付けると共に保持することができるよう構成されており、
前記プラットホームは、前記ゴルフアイテム並びにバンド、ドーム及び潰れたクラウンのうちの１つとはサイズが異なる、
ことを特徴とする帽子。
【請求項１１】
バイザーの第１の層をバイザーの他の層と一体化するために定位置に配置するステップを有し、前記第１の層は、剛性を前記バイザーに付与し、
ステッチにより形成された不連続部を含む第２の層を前記第１の層に隣接して１つの方向に配置するステップを有し、
プラットホームを前記第２の層に隣接して前記方向に配置するステップを有し、前記プラットホームは、前記第２の層を形成する材料とは異なる材料で形成されており、前記プラットホームは、不連続部を含み、
磁石が前記ステッチにより形成された不連続部内及び前記プラットホームの不連続部内に配置され、
前記バイザーは、アイテムが前記プラットホーム上に配置された場合、前記バイザーが前記アイテムを磁気的に引き付けると共に保持することができるよう構成される、
ことを特徴とする方法。
【請求項１２】
前記バイザーの第３の層を前記第１の層に隣接して反対の方向に配置するステップを更に有する、請求項１１記載の方法。
【請求項１３】
前記磁石は、前記プラットホームよりも小さい、請求項１１記載の方法。
【請求項１４】
前記プラットホームは、前記アイテムとはサイズが異なる、請求項１１記載の方法。
【請求項１５】
前記プラットホームは、１つ又は２つ以上のロゴを有する、請求項１１記載の方法。
【請求項１６】
前記ロゴのうちの少なくとも１つは、音波溶接されたロゴである、請求項１５記載の方法。
【請求項１７】
前記プラットホームは、シリコーンで作られている、請求項１１記載の方法。
【請求項１８】
前記バイザーは、帽子に採用され、前記アイテムは、スポーツをする際に用いられる、請求項１１記載の方法。
【発明の詳細な説明】
【技術分野】
【０００１】
本発明は、アパレル（衣料品）及びアクセサリ（付属品）のための構造体及び方法に関する。
【背景技術】
【０００２】
近頃、アパレル及びアクセサリを身につける人が増えている。例えば、多くの人は、見栄えのするように感じられるアパレル及びアクセサリをますます採用している。別の例として、多くの人は、実用的機能性を提供しているように感じられるアパレル及びアクセサリをますます採用している。さらに別の例として、多くの人は、スポーツ（例えば、ゴルフ）と関連したアパレル及びアクセサリをますます採用している。したがって、種々の美的観点と機能的観点を一体化したアパレル及びアクセサリを別途提供することに関心があると言える。
【発明の概要】
【０００３】
本発明の実施形態によれば、例えば、種々の美的観点と機能的観点を一体化したアパレル及びアクセサリに利用できる構造体及び方法が提供される。かかる構造体は、種々の実施形態では、例えば、剛性を付与する層を有するのが良い。種々の実施形態では、剛性を付与する層の上方に位置して層が設けられるのが良い。変形例として又は付加的に、種々の実施形態では、剛性を付与する層の下方に位置して層が設けられるのが良い。種々の実施形態では、１つ又は２つ以上の不連続部内に位置して１つ又は２つ以上の磁石が設けられるのが良い。
【０００４】
種々の実施形態では、剛性を付与する層の上方に位置したかかる層の上方に位置して１つ又は２つ以上のプラットホームが設けられるのが良い。変形例として又は付加的に、種々の実施形態では、剛性を付与する層の下方に位置したかかる層の下方に位置して１つ又は２つ以上のプラットホームが設けられるのが良い。種々の実施形態では、プラットホームのうちの１つ又は２つ以上の上に配置された１つ又は２つ以上のアイテムが磁石のうちの１つ又は２つ以上に引きつけられるのが良い。
【図面の簡単な説明】
【０００５】
【図１】本発明の種々の実施形態としての例示の分解状態の構造体の側面図である。
【図２】本発明の種々の実施形態としての例示の組立て状態の構造体の側面図である。
【図３】本発明の種々の実施形態としての別の例示の組立て状態の構造体の側面図である。
【図４】本発明の種々の実施形態としての例示の分解状態の構造体の平面図である。
【図５】本発明の種々の実施形態としての例示の分解状態の構造体の底面図である。
【図６】本発明の種々の実施形態としての例示の帽子の側面図である。
【図７】本発明の種々の実施形態としての例示の帽子の底面図である。
【図８】本発明の種々の実施形態としての例示のバイザーの底面図である。
【図９】本発明の種々の実施形態による組立の際に必要な例示のステップを示す図である。
【発明を実施するための形態】
【０００６】
一般的観点
本発明の実施形態によれば、例えば、種々の美的観点と機能的観点を一体化したアパレル及びアクセサリに利用できる構造体及び方法が提供される。
【０００７】
かかる構造体は、種々の実施形態では、例えば、剛性を付与する層を有するのが良い。種々の実施形態では、剛性を付与する層の上方に位置して層が設けられるのが良い。変形例として又は付加的に、種々の実施形態では、剛性を付与する層の下方に位置して層が設けられるのが良い。種々の実施形態では、１つ又は２つ以上の不連続部内に位置して１つ又は２つ以上の磁石が設けられるのが良い。
【０００８】
種々の実施形態では、剛性を付与する層の上方に位置したかかる層の上方に位置して１つ又は２つ以上のプラットホームが設けられるのが良い。変形例として又は付加的に、種々の実施形態では、剛性を付与する層の下方に位置したかかる層の下方に位置して１つ又は２つ以上のプラットホームが設けられるのが良い。種々の実施形態では、プラットホームのうちの１つ又は２つ以上の上に配置された１つ又は２つ以上のアイテム（例えば、ゴルフボールマーカ）が磁石のうちの１つ又は２つ以上に引きつけられるのが良い。種々の実施形態では、かかるプラットホームのうちの１つ又は２つ以上は、１つ又は２つ以上のロゴを有するのが良い。
【０００９】
かかる構造体は、種々の実施形態では、バイザー（まびさし）、フラップ、ストラップ及び／又はボードである場合がある。かかる構造体は、種々の実施形態では、アパレル及び／又はアクセサリ（例えば、ゴルフ及び／又は他のスポーツアパレル及び／又はアクセサリ）に採用される場合がある。
【００１０】
次に、本発明の種々の観点を詳細に説明する。
【００１１】
構造
図１を参照すると、構造体は、例えば、構造体に剛性を付与する層１０１を有することが注目される。層１０１は、例えば、厚紙及び／又はプラスチックで構成される。層１０１の形成では、例えば、切断及び／又は成形が必要である場合がある。
【００１２】
構造体は、例えば、層１０１の上方に位置した層１０３を有する。変形例として又は付加的に、この構造体は、例えば、層１０１の下に位置した層１０５を有してもよい。層１０３及び／又は層１０５は、例えば、柔軟性又は軟質の材料で構成される。かかる柔軟性又は軟質の材料としては、例えば、布、ゴム、紙及び／又はプラスチックが挙げられる。層１０３及び／又は層１０５は、例えば、ステッチ、糊、ねじ及び／又はリベットにより互いに且つ／或いは層１０１に取り付けられる。層１０３及び／又は層１０５の形成では、例えば、切断及び／又は成形が必要である場合がある。
【００１３】
層１０３及び／又は層１０５は、例えば、１つ又は２つ以上の不連続部を有する。例えば、層１０３は、図１に示されているように、不連続部１０７を有する。かかる不連続部の構成では、例えば、縫合、溶接（例えば、音波溶接）、穴あけ、成形、溶融及び／又はエッチングが必要な場合がある。かかる不連続部は、例えば、この不連続部が設けられる層に対して、不連続部の両端が開口するように構成される場合がある（例えば、かかる不連続部は、これが設けられる層の穴である場合がある）。かかる不連続部は、例えば、この不連続部が設けられる層に対して、不連続部の一端が閉鎖されるように構成される場合がある（例えば、かかる不連続部は、これが設けられている層の窪み、例えば下に向いた開口を有する窪みであるようなものである場合がある）。
【００１４】
１つ又は２つ以上の磁石が例えばかかる不連続部内に配置される。例えば、図１を参照すると、不連続部１０７は、磁石１０９を有することが注目される。磁石は、例えば、不連続部内で自由に浮動すると共に／或いは不連続部内に取り付けられる（例えば、接着剤により）。
【００１５】
構造体は、例えば、層１０３の上方に位置した１つ又は２つ以上のプラットホーム及び／又は層１０５の下方に位置した１つ又は２つ以上のプラットホームを有する。例えば、図１に示されているように、層１０３の上方に位置した状態でプラットホーム１１１が設けられる。例えば、プラットホームのうちの１つ又は２つ以上の上に配置された１つ又は２つ以上のアイテム（例えば、強磁性及び／又は部分的に強磁性のアイテム）が磁石のうちの１つ又は２つ以上に引き付けられる。例えば、再び図１を参照すると、プラットホーム１１１上に配置されたアイテム１１３は、磁石１０７に引き付けられる。かかるアイテムとしては、例えば、ゴルフボールマーカ、補修工具（例えば、ディボット補修工具）、缶切り、アイウェアアイテム（例えば、ゴルフ及び／又は他のスポーツ用アイウェアアイテム）及び／又は筆記用具（例えば、ゴルフ及び／又は他のスポーツ用筆記用具）が挙げられる。かかるプラットホームが設けられていることは、例えば、引き付けられたアイテムの取り外しを容易にするのに役立つ。
【００１６】
構造体は、例えば、かかるアイテムが配置されないで（例えば、アイテムがプラットホーム１１０上に全く配置されないで）使用される場合があることが注目される。例えば、構造体が以下に更に説明するように帽子（本明細書において、帽子という用語は、頭に着用するものの総称とする）に用いられる場合、かかる帽子は、かかるどのようなアイテムも配置しないで（例えば、ゴルフボールマーカを配置しないで）着用される場合がある。
【００１７】
かかる状況は、例えば、着用者がかかるアイテムを間違った場所においた場合（例えば、着用者がゴルフボールマーカを間違った場所に置いた場合）に生じることがある。かかる状況は、別の例として、着用者がアイテムのなくなったこととは関連しない理由で、アイテムを配置しないで着用することを選択した場合（例えば、着用者がゴルフボールマーカを間違った場所に置いたのではなく、ファッションのため又は他の理由でアイテムを配置しないで着用しようという動機があった場合）に生じることがある。
【００１８】
さらに、例えばかかるアイテムの交換が生じる場合のあることが注目される。かかる交換は、例えば、かかるアイテムを間違った場所に置いた（例えば、かかる着用者によって）場合に生じることがある。例えば、かかるゴルフボールマーカを間違った場所に置いた着用者は、このゴルフボールマーカに代えて別のアイテムを用いる場合ある（例えば、着用者は、ゴルフボールマーカに代えてコイン及び／又は他の強磁性及び／又は部分的に強磁性のアイテムを用いる場合がある）。
【００１９】
プラットホームのうちの１つ又は２つ以上は、例えば、構造体の他の部分で用いられている材料とは異なる材料で構成することができる。例えば、図１を参照すると、プラットホーム１１１は、層１０１を構成する材料、層１０３を構成する材料及び／又は層１０５を構成する材料とは異なる材料で構成される。プラットホームは、例えば、シリコーン、ゴム、紙及び／又はプラスチックで構成することができる。プラットホームの形成では、例えば、切断及び／又は成形が必要である場合がある。プラットホームは、例えば、形状が円形、半円形、卵形又は多角形とすることができる。
【００２０】
磁石のうちの１つ又は２つ以上は、例えば、サイズがプラットホームのうちの１つ又は２つ以上とは異なるのが良い。したがって、例えば、図１には、プラットホーム１１１よりも小径の磁石１０７が示されている。かかるサイズの差により、例えば、引き付けられたアイテムの取り出しが容易になる場合がある。
【００２１】
さらに、プラットホームのうちの１つ又は２つ以上は、例えば、サイズが１つ又は２つ以上のアイテム（例えば、上述した種類のアイテム）とは異なるのが良い。したがって、例えば、図１には、アイテム１１３よりも大径のプラットホーム１０３が示されている。かかるサイズの差により、例えば、引き付けられたアイテムの取り外しが容易な場合がある。
【００２２】
プラットホームのうちの１つ又は２つ以上は、例えば、１つ又は２つ以上のロゴを有するのが良い。例えば、図１を参照すると、プラットホーム１１１は、１つ又は２つ以上のロゴを有する。かかるロゴは、例えば、標章、文字及び／又は像が挙げられる。かかるロゴの形成では、例えば、溶接（例えば、音波溶接）、穴あけ、成形、溶融及び／又はエッチングが必要な場合がある。
【００２３】
プラットホームのうちの１つ又は２つ以上は、例えば、１つ又は２つ以上の不連続部を有する。したがって、例えば、プラットホームは、単一の不連続部を有する場合がある。かかるプラットホームの不連続部は、例えば、上述した仕方と同様な仕方で形成される。例えば、溶接（例えば、音波溶接）、穴あけ、成形、溶融及び／又はエッチングを用いることができる。かかるプラットホームの不連続部の構成は、例えば、プラットホーム不連続部は、例えば、このプラットホーム不連続部が設けられるプラットホームに対して、プラットホーム不連続部の両端が開口するように構成される場合がある（例えば、かかる不連続部は、これが設けられるプラットホームの穴である場合がある）。かかるプラットホーム不連続部は、例えば、このプラットホーム不連続部が設けられるプラットホームに対して、不連続部の一端が閉鎖されるように構成される場合がある（例えば、かかる不連続部は、これが設けられているプラットホームの窪み、例えば下に向いた開口を有する窪みであるようなものである場合がある）。１つ又は２つ以上のプラットホームは、例えば、ステッチ、糊、ねじ及び／又はリベットにより取り付けることができる。
【００２４】
図１は、例えば、分解状態の構造体に対応した例示の側面図であると考えられる。図２は、例えば、アイテム１１３が取り外された組立て状態の構造体に対応する例示の側面図であると考えられる。図３は、例えば、アイテム１１３が取り付けられた組立て状態の構造体に対応した例示の側面図であると考えられる。
【００２５】
図４は、例えば、分解状態の構造体に対応した例示の平面図であると考えられる。図５は、例えば、分解状態の構造体に対応した例示の底面図であると考えられる。
【００２６】
構造体は、例えば、バイザー、フラップ、ストラップ及び／又はボードである。かかる構造体は、例えば、アパレル及び／又はアクセサリに用いることができる。かかるアパレル及び／又はアクセサリとしては、例えば、帽子（例えば、ゴルフ及び／又は他のスポーツ用帽子）、バッグ（例えば、ゴルフ及び／又は他のスポーツ用バッグ）及び／又はクリップボード（例えば、手持ち型ゴルフ及び／又は他のスポーツ用クリップボード又はゴルフ及び／又は他のスポーツ用カート又は他の乗物に備えられたクリップボード）が挙げられる。構造体のかかる採用では、例えば、ステッチ、糊、ねじ及び／又はリベットによる取り付けが必要な場合がある。例えば、バイザーとして構成された構造体は、帽子に（例えば、帽子のドーム、バンド及び／又はクラウンに）縫い付けることができる。
【００２７】
かかる帽子は、例えば、バイザー及びドームを含む（例えば、バイザーは、ドームに取り付けられる場合がある）。別の例として、かかる帽子は、ドームを欠く場合があるが、バイザー及びバンドを含む（例えば、バイザーは、バンドに取り付けられる場合がある）。追加の例として、かかる帽子は、バイザー及び潰れたクラウンを含む（例えば、バイザーは、潰れたクラウンに取り付けられる場合がある）。
【００２８】
上述の種々の要素の形状は、例えば、構造体の用途に従って選択されるのが良い。例えば、構造体の用途がバイザー用途である場合、層１０１、層１０３及び／又は層１０５は、バイザーの形状にマッチした形状を有するのが良い。
【００２９】
図６は、例えば、帽子（例えば、上述した種類の帽子）に対応した例示の側面図であると考えられる。例えば、図６には、バイザー６０１（例えば、上述した種類のバイザー）及びドーム６０３（例えば、上述した種類のドーム）が示されている。図７は、例えば、帽子（例えば、上述した種類の帽子）に対応した例示の底面図であると考えられる。
【００３０】
図８は、例えば、不連続部を構成するステッチ８０１（例えば、上述した種類のステッチ）を含むバイザーの例示の底面図であると考えられる。
【００３１】
組立
図９を参照すると、構造体の剛性を付与する層１０１を配置する（ステップ９０１）ことが注目される。例えば、１つ又は２つ以上の磁石１０９を層１０３及び／又は層１０５の１つ又は２つ以上の不連続部１０７内に配置する（例えば、上述した仕方で）（ステップ９０３）。
【００３２】
例えば、構造体の層１０３を剛性付与層１０１の上方に配置する（ステップ９０５）。構造体の層１０５を例えば、剛性付与層１０１の下方に配置する（ステップ９０７）。層１０３又は層１０５を例えば特定の構造体から省いても良いことが注目される。層１０３及び／又は層１０５を例えば互いに且つ／或いは層１０１に（例えば、上述した仕方で）取り付ける（ステップ９０９）。
【００３３】
例えば、構造体の１つ又は２つ以上のプラットホーム１１１を層１０３の上方に配置すると共に／或いは１つ又は２つ以上のプラットホーム１１１を層１０５の下方に配置する（ステップ９１１）。かかる配置では、例えば、上述した種類の取り付け方が必要な場合がある。
【００３４】
例えば、構造体を物品に取り付ける（ステップ９１３）。例えば、上述したように、バイザーとして構成された構造体の帽子に縫い付けることができる。
【００３５】
変形例及び保護範囲
上述の説明は、多くの細部を含んでいるが、これらは、本発明を説明するために提供されているに過ぎず、本発明の範囲の制限として解されるべきではない。かくして、本発明の精神及び範囲から逸脱することなく本発明の構造体及び方法の種々の改造例及び変形例を想到できることは当業者には明らかであろう。
【００３６】
加うるに、本明細書において上述した本発明の実施形態、特徴、構造体、方法及び細部を別々に又は任意の組み合わせ状態で組み合わせると、本発明の新たな実施形態を構成して説明することができる。
【図１】
0005607160.tif 000002
【図２】
0005607160.tif 000003
【図３】
0005607160.tif 000004
【図４】
0005607160.tif 000005
【図５】
0005607160.tif 000006
【図６】
0005607160.tif 000007
【図７】
0005607160.tif 000008
【図８】
0005607160.tif 000009
【図９】
0005607160.tif 000010